(57)【要約】【課題】照明装置の照明色などの照明状態を、ユーザーが見ている文書の全体または一部の内容に適した状態に制御すること。【解決手段】視線検出部４４は、第１カメラ８１を通じて得られる画像に基づいて対象ユーザーの視線方向を検出する。文書抽出部４５は、第２カメラ８２を通じて得られる画像から前記視線方向に存在する対象文書９０の画像を抽出する。登録判定部４６は、前記対象文書９０の画像が登録文書のいずれかに該当するか否かを判定する。制御部４７は、前記対象文書９０が前記登録文書に該当すると判定される場合に、照明装置８０の照明状態を、前記対象文書９０に対応する前記登録文書に対応付けられた照明方法の情報に従って制御する。【選択図】図２
2019133817.tif 000002
【特許請求の範囲】
【請求項１】
第１カメラを通じて得られる対象ユーザーの顔画像に基づいて前記対象ユーザーの視線方向を検出する視線検出部と、
第２カメラを通じて得られる前記対象ユーザーの周囲の画像から前記視線検出部により検出される前記視線方向に存在する対象文書の画像を抽出する文書抽出部と、
記憶装置に予め記憶されている１つ以上の登録文書の情報および前記登録文書に対応する照明方法の情報を含む登録データを参照し、前記対象文書の画像が前記登録文書のいずれかに該当するか否かを判定する登録判定部と、
前記登録判定部によって前記対象文書が前記登録文書に該当すると判定される場合に、前記対象ユーザーの周囲を照明する照明装置の照明状態を、前記対象文書に対応する前記登録文書に対応付けられた前記照明方法の情報に従って制御する登録照明制御を実行する制御部と、を備える照明制御装置。
【請求項２】
前記登録データにおける前記照明方法の情報が、照明色を指定する情報を含み、
前記制御部は、前記照明装置の照明色を制御可能である、請求項１に記載の照明制御装置。
【請求項３】
前記第１カメラを通じて得られる前記顔画像に基づく情報と前記記憶装置に予め記憶された１人以上の登録ユーザーの顔の情報とを比較することにより、前記対象ユーザーが前記登録ユーザーのいずれに該当するかを判定する顔認証処理を実行可能な顔認証部をさらに備え、
前記登録データが、
前記登録文書ごとにそれぞれ異なる照明色を指定する第１の照明方法および第２の照明方法の情報と、
前記登録文書の情報と前記登録ユーザーのいずれかである管理者とを対応付ける情報と、を含み、
前記制御部は、
前記登録判定部によって前記対象文書が前記登録文書に該当すると判定され、かつ、前記顔認証処理によって前記対象ユーザーが前記対象文書に相当する前記登録文書の情報に対応付けられた前記管理者に該当すると判定される場合に、前記第１の照明方法の情報に従って前記登録照明制御を実行し、
前記登録判定部によって前記対象文書が前記登録文書に該当すると判定され、かつ、前記顔認証処理によって前記対象ユーザーが前記対象文書に相当する前記登録文書の情報に対応付けられた前記管理者に該当しないと判定される場合に、前記第２の照明方法の情報に従って前記登録照明制御を実行する、請求項２に記載の照明制御装置。
【請求項４】
前記第１カメラを通じて得られる前記顔画像に基づく情報と前記記憶装置に予め記憶された１人以上の登録ユーザーの顔の情報とを比較することにより、前記対象ユーザーが前記登録ユーザーのいずれに該当するかを判定する顔認証処理を実行可能な顔認証部をさらに備え、
前記登録データが、前記登録文書ごとにそれぞれ異なる照明色を指定する第１の照明方法および第２の照明方法の情報を含み、
前記制御部は、
前記登録判定部によって前記対象文書が前記登録文書に該当すると判定され、かつ、前記顔認証処理によって前記対象ユーザーが前記登録ユーザーに該当すると判定される場合に、前記第１の照明方法の情報に従って前記登録照明制御を実行し、
前記登録判定部によって前記対象文書が前記登録文書に該当すると判定され、かつ、前記顔認証部によって前記対象ユーザーが前記登録ユーザーに該当しないと判定される場合に、前記第２の照明方法の情報に従って前記登録照明制御を実行する、請求項２に記載の照明制御装置。
【請求項５】
前記第１カメラを通じて得られる前記顔画像に基づく情報と前記記憶装置に予め記憶された１人以上の登録ユーザーの顔の情報とを比較することにより、前記対象ユーザーが前記登録ユーザーのいずれに該当するかを判定する顔認証処理を実行可能な顔認証部をさらに備え、
前記登録データが、前記登録文書の情報と前記登録ユーザーのいずれかである管理者とを対応付ける情報を含み、
前記制御部は、
前記登録判定部によって前記対象文書が前記登録文書に該当すると判定され、かつ、前記顔認証処理によって前記対象ユーザーが前記対象文書に相当する前記登録文書の情報に対応付けられた前記管理者に該当すると判定される場合に、前記登録照明制御を実行し、
前記登録判定部によって前記対象文書が前記登録文書に該当すると判定され、かつ、前記顔認証処理によって前記対象ユーザーが前記対象文書に相当する前記登録文書の情報に対応付けられた前記管理者に該当しないと判定される場合に、前記照明装置の照明状態を、前記対象文書に対応する前記登録文書に対応付けられた前記照明方法とは異なる予め定められた警報状態へ変更する、請求項１または請求項２に記載の照明制御装置。
【請求項６】
請求項２から請求項４のいずれか１項に記載の照明制御装置と、
前記登録文書を表すデータに相当する画像データである登録対象画像データを取得する画像取得装置と、
前記登録対象画像データまたは前記登録対象画像データが表す画像を出力する画像出力処理を実行する画像出力装置と、
前記登録対象画像データが表す画像に基づく前記登録文書の情報と、前記登録対象画像データが表す画像の色に対応する照明色の情報と、を含む前記登録データを前記記憶装置に記憶させるデータ登録部と、を備える画像処理装置。
【請求項７】
前記画像取得装置が、原稿から画像を読み取ることによって読取画像を表す前記登録対象画像データを取得する画像読取装置を含み、
前記画像出力装置が、前記登録対象画像データを他装置へ送信する通信装置および前記登録対象画像データが表す画像を印刷する画像形成装置の一方または両方を含む、請求項６に記載の画像処理装置。
【請求項８】
前記画像取得装置が、他装置から前記登録対象画像データを受信する通信装置を含み、
前記画像出力装置が、前記登録対象画像データが表す画像を印刷する画像形成装置を含む、請求項６に記載の画像処理装置。
【発明の詳細な説明】
【技術分野】
【０００１】
本発明は、ユーザーが見ている文書の特性に応じて照明装置を制御する照明制御装置およびそれを備える画像処理装置に関する。
【背景技術】
【０００２】
昨今、ＬＥＤ照明器具が普及しつつある。前記ＬＥＤ照明器具は、照明の明るさ、および、照明色などの照明状態を制御しやすい照明装置である。
【０００３】
例えば、前記照明装置の明るさなどの照明状態が、ユーザーが見る対象の文字のサイズの判定結果に応じて制御されることが知られている（例えば、特許文献１参照）。
【先行技術文献】
【特許文献】
【０００４】
【特許文献１】特開２０１４−８６３１１号公報
【発明の概要】
【発明が解決しようとする課題】
【０００５】
ところで、ユーザーが文書を見ているときに適した照明状態は、前記文書に印刷されている文字のサイズによって定まるとは限らない。例えば、前記照明装置の照明色または明るさが、前記文書における印刷画像の色に応じて制御されることが望ましい場合がある。
【０００６】
さらに、前記照明状態が、前記文書における前記ユーザーが見るページごとにその印刷内容に応じて制御されることが望ましいとは限らない。即ち、前記照明状態が、前記文書の全体または一部のページ範囲ごとに制御されることが望ましい場合がある。
【０００７】
本発明の目的は、照明装置の照明色などの照明状態を、ユーザーが見ている文書の全体または一部の内容に適した状態に制御することが可能な照明制御装置およびそれを備える画像処理装置を提供することにある。
【課題を解決するための手段】
【０００８】
本発明の一の局面に係る照明制御装置は、視線検出部と、文書抽出部と、登録判定部と、制御部と、を備える。前記視線検出部は、第１カメラを通じて得られる対象ユーザーの顔画像に基づいて前記対象ユーザーの視線方向を検出する。前記文書抽出部は、第２カメラを通じて得られる前記対象ユーザーの周囲の画像から前記視線検出部により検出される前記視線方向に存在する対象文書の画像を抽出する。前記登録判定部は、記憶装置に予め記憶されている１つ以上の登録文書の情報および前記登録文書に対応する照明方法の情報を含む登録データを参照し、前記対象文書の画像が前記登録文書のいずれかに該当するか否かを判定する。前記制御部は、前記登録判定部によって前記対象文書が前記登録文書に該当すると判定される場合に、前記対象ユーザーの周囲を照明する照明装置の照明状態を、前記対象文書に対応する前記登録文書に対応付けられた前記照明方法の情報に従って制御する登録照明制御を実行する。
【０００９】
本発明の他の局面に係る画像処理装置は、前記照明制御装置と、画像取得装置と、画像出力装置と、データ登録部と、を備える。前記画像取得装置は、処理対象の画像データである登録対象画像データを取得する。前記画像出力装置は、前記登録対象画像データまたは前記登録対象画像データが表す画像を出力する画像出力処理を実行する。前記データ登録部は、前記登録対象画像データが表す画像に基づく情報を前記登録文書の情報と、前記画像データが表す画像の色に対応する照明色の情報と、を含む前記登録データを前記記憶装置に記憶させる。
【発明の効果】
【００１０】
本発明によれば、照明装置の照明色などの照明状態を、ユーザーが見ている文書の全体または一部の内容に適した状態に制御することが可能な照明制御装置およびそれを備える画像処理装置を提供することが可能になる。
【図面の簡単な説明】
【００１１】
【図１】図１は、第１実施形態に係る画像処理装置を含む照明システムの構成図である。
【図２】図２は、第１実施形態に係る画像処理装置の構成を示すブロック図である。
【図３】図３は、第１実施形態に係る画像処理装置が実行する照明制御の手順の一例を示すフローチャートである。
【図４】図４は、第１実施形態に係る画像処理装置が実行する登録文書データ記録処理の手順の一例を示すフローチャートである。
【図５】図５は、第２実施形態に係る画像処理装置が実行する照明制御の手順の一例を示すフローチャートである。
【発明を実施するための形態】
【００１２】
以下、図面を参照しながら、本発明の実施形態について説明する。なお、以下の実施形態は、本発明を具体化した一例であって、本発明の技術的範囲を限定するものではない。
【００１３】
［第１実施形態：照明システム］
第１実施形態に係る画像処理装置１０は、照明装置８０を制御する照明制御装置を兼ねる。画像処理装置１０は、照明システム１００の一部を構成している。照明システム１００は、例えばオフィスまたは図書館などに設置される。
【００１４】
図１に示されるように、照明システム１００は、照明装置８０と、第１カメラ８１と、第２カメラ８２と、第１通信装置８３と、第２通信装置８４とを含む。照明装置８０は、照明本体装置８０ａおよび照明駆動装置８０ｂを含む。
【００１５】
例えば、第１カメラ８１が可視光カメラであることが考えられる。また、第１カメラ８１が、被写体に向けて赤外線を出射する光源と赤外光カメラとの組合せであることも考えられる。一方、第２カメラ８２は可視光カメラである。
【００１６】
照明本体装置８０ａは、照明の色および明るさを変更可能なＬＥＤ（Light Emitting Diode）照明器具である。例えば、照明本体装置８０ａは、色温度および明るさを調節する照明駆動信号を、照明駆動装置８０ｂから入力し、前記照明駆動信号に応じた色および明るさで発光する。
【００１７】
照明駆動装置８０ｂは、入力される照明制御指令に従った前記照明駆動信号を照明本体装置８０ａへ出力する。前記照明制御指令は、照明の色および明るさを指定する情報を含む。前記照明制御指令は、画像処理装置１０から第２通信装置８４を通じて照明駆動装置８０ｂに入力される。
【００１８】
前記照明制御指令が、照明の点滅を指定する情報を含む場合もある。この場合、照明駆動装置８０ｂは、照明本体装置８０ａを点滅させる前記照明駆動信号を照明装置８０に出力する。
【００１９】
第１カメラ８１は、人が存在する領域の画像を撮影する。第１カメラ８１は、人の顔を撮影するためのカメラである。以下の説明において、第１カメラ８１の撮像範囲に存在する人のことを対象ユーザー９と称する。照明装置８０は、対象ユーザー９の周囲を照明する。
【００２０】
第１カメラ８１は、撮影により得られる画像から対象ユーザー９の顔の画像を抽出する画像処理プロセッサー８１ａを内蔵している。例えば、画像処理プロセッサー８１ａがＤＳＰ（Digital Signal Processor）またはＭＰＵ（Micro Processing Unit）などであることが考えられる。
【００２１】
画像処理プロセッサー８１ａは、周知の顔検出処理を実行することにより、第１カメラ８１の撮影により得られる画像から対象ユーザー９の顔画像を抽出する。以下の説明において、第１カメラ８１の撮影により得られる画像から抽出される顔画像のことを対象顔画像と称する。
【００２２】
第１カメラ８１は、前記対象顔画像のデータを、第１通信装置８３を通じて画像処理装置１０へ送信する。例えば、第１カメラ８１は、予め定められた周期で画像の撮影、前記対象顔画像の抽出および前記対象顔画像のデータの出力を行う。
【００２３】
第１通信装置８３および第２通信装置８４は、画像処理装置１０との通信を実行する。本実施形態において、第１通信装置８３および第２通信装置８４は、無線通信装置である。
【００２４】
第１通信装置８３は、第１カメラ８１から前記対象顔画像のデータを取得し、取得した前記対象顔画像のデータを画像処理装置１０へ送信する。第１通信装置８３は、新たな前記対象顔画像のデータが得られるごとに、得られた前記対象顔画像のデータを画像処理装置１０へ送信する。
【００２５】
第２カメラ８２は、対象ユーザー９の周囲の画像を撮影する。以下の説明において、第２カメラ８２によって撮影される画像のことを周囲画像と称する。対象ユーザー９が書籍または書類などの文書を見ている場合、前記周囲画像は、その文書の画像を含む。なお、前記周囲画像が、対象ユーザー９の画像を含むこともある。
【００２６】
以下の説明において、対象ユーザー９が見ている文書のことを対象文書９０と称する。対象文書９０は、対象ユーザー９の視線方向に存在する文書である。対象文書９０は、書籍または画像処理装置１０の印刷処理によって得られる印刷物などである。
【００２７】
例えば、第２カメラ８２は、予め定められた周期で、画像の撮影およびその撮影により得られる前記周囲画像のデータの出力を行う。
【００２８】
第２通信装置８４は、画像処理装置１０から前記照明制御指令を受信し、受信した前記照明制御指令を照明装置８０へ伝送する。さらに、第２通信装置８４は、第２カメラ８２から前記周囲画像のデータを取得し、取得した前記周囲画像のデータを画像処理装置１０へ送信する。
【００２９】
第２通信装置８４は、前記照明制御指令を受信するごとに、受信した前記照明制御指令を照明装置８０へ伝送する。さらに、第２通信装置８４は、新たな前記周囲画像のデータが得られるごとに、得られた前記周囲画像のデータを画像処理装置１０へ送信する。
【００３０】
第２通信装置８４は、画像処理装置１０から照明装置８０への前記照明制御指令の伝送を中継する通信装置と、第２カメラ８２から画像処理装置１０への前記周囲画像のデータの伝送を中継する通信装置とを兼ねる。
【００３１】
［画像処理装置１０］
画像処理装置１０は、例えばスキャナー、プリンター、複写機または複合機などである。本実施形態において、画像処理装置１０は、前記複合機である。
【００３２】
図２に示されるように、画像処理装置１０は、画像読取装置１、画像形成装置２，ユーザーインターフェイスユニット３、ＣＰＵ４、ＲＡＭ（Random Access Memory）５ａ、二次記憶装置５ｂ、カメラ６および通信装置７などを備える。
【００３３】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、画像を表示可能な装置であり、例えば、液晶表示パネルなどの表示パネルを含む。
【００３４】
通信装置７は、電波または通信ケーブルなどの通信媒体を通じて第１通信装置８３、第２通信装置８４および不図示の情報処理装置などの他装置との間で通信を行う通信インターフェイスデバイスである。本実施形態における前記通信媒体は電波である。
【００３５】
ＣＰＵ４は、前記他装置との間のデータの送信および受信の全てを、通信装置７を通じて行う。本実施形態において、通信装置７は、無線通信装置である。
【００３６】
二次記憶装置５ｂは、コンピューター読み取り可能な不揮発性の記憶装置である。二次記憶装置５ｂは、コンピュータープログラムおよび各種のデータを記憶可能である。例えば、フラッシュメモリーまたはハードディスクドライブの一方または両方が、二次記憶装置５ｂとして採用される。
【００３７】
ＲＡＭ５ａは、揮発性の記憶装置である。ＲＡＭ５ａは、ＣＰＵ４が実行する前記コンピュータープログラムおよびＣＰＵ４が前記コンピュータープログラムを実行する過程で出力および参照するデータを一次記憶する。
【００３８】
画像読取装置１は、原稿９１の画像を読み取る読取処理を実行する装置である。画像読取装置１は、原稿９１に対して光を照射し、原稿９１からの反射光を受光し、受光量を検出する。さらに、画像読取装置１は、前記受光量の検出データを読取画像のデータとして出力する。
【００３９】
画像形成装置２は、電子写真方式またはインクジェット方式などの予め定められた方式でシート９２に画像を形成する印刷処理を実行する。シート９２は、用紙または樹脂フィルムなどのシート状の画像形成媒体である。
【００４０】
以下の説明において、前記読取処理により得られる前記読取画像に基づく画像出力処理のことを読取画像出力処理と称する。
【００４１】
前記読取画像出力処理は、前記読取画像に基づく前記印刷処理、または、前記読取画像のデータを外部へ出力する画像データ出力処理を含む。例えば、前記画像データ出力処理は、画像データ送信処理または画像データ記録処理などを含む。
【００４２】
前記画像データ送信処理は、前記読取画像のデータを、通信装置７を通じてホスト装置などの他装置へ送信する処理である。前記ホスト装置は、画像処理装置１０と通信可能なパーソナルコンピューターなどの情報処理装置である。
【００４３】
前記画像データ記録処理は、前記読取画像のデータを画像処理装置１０に着脱可能な外部記憶装置に記録する処理である。前記外部記憶装置は、過般型のメモリーユニットまたはメモリーカードなどである。なお、前記読取処理と、前記読取画像に基づく前記印刷処理と、を併せた処理が複写処理である。
【００４４】
カメラ６は、画像処理装置１０の前方を向く状態で設けられている。カメラ６は、画像処理装置１０の前に存在するユーザーの顔を含む領域を撮影する。
【００４５】
カメラ６が動作すると、カメラ６によって撮影された画像のデータが、ＣＰＵ４に取り込まれ、ＲＡＭ５ａまたは二次記憶装置５ｂに一時記憶される。カメラ６によって撮影された画像は、顔認証処理に用いられる。以下の説明において、カメラ６によって撮影された画像のことを入力認証画像と称する。
【００４６】
ＣＰＵ４は、各種の演算、データ処理および画像処理装置１０が備える各種の電気機器の制御を実行するプロセッサーである。ＣＰＵ４は、画像読取装置１、画像形成装置２、ユーザーインターフェイスユニット３および通信装置７との間でデータおよび制御信号の受け渡しが可能である。
【００４７】
ＣＰＵ４は、二次記憶装置５ｂに記憶されたプログラムを実行することにより、例えば主制御部４１、顔認証部４２およびジョブ制御部４３などとして動作する。
【００４８】
主制御部４１は、表示装置３ｂへの画面出力の制御と、操作装置３ａに対する操作に従ったデータ処理とを実行する。例えば、ジョブ制御部４３は、主制御部４１の読取指令に従って、画像読取装置１に前記読取処理を実行させる。さらに、ジョブ制御部４３は、主制御部４１の印刷指令に従って、画像形成装置２に前記印刷処理を実行させる。
【００４９】
二次記憶装置５ｂは、１人以上の登録ユーザーの顔特徴量を表す登録顔特徴量Ｄ１１の情報を含む登録認証データＤ１を予め記憶している。登録認証データＤ１は、前記登録ユーザーを識別するユーザー識別コードＤ１２および名前などのその他の属性情報も含む。
【００５０】
顔認証部４２は、顔認証処理を実行する。前記顔認証処理は、入力される顔画像に基づく情報と二次記憶装置５ｂに予め記憶された１人以上の登録ユーザーの顔の情報とを比較することにより、前記入力される顔画像に相当する人物が前記登録ユーザーのいずれに該当するかを判定する処理である。
【００５１】
より具体的には、顔認証部４２は、入力される顔画像から予め定められた顔特徴量を特定し、前記顔特徴量が、登録認証データＤ１に含まれる１つ以上の登録顔特徴量Ｄ１１のいずれに該当するかを判定する。
【００５２】
前記顔特徴量は、例えば目、鼻、口、顎および耳の相対的な位置および相対的な大きさなどを含む。顔認証部４２は、それぞれ前記顔認証処理の一例である第１顔認証処理および第２顔認証処理を実行可能である。
【００５３】
前記第１顔認証処理は、前記入力認証画像から画像処理装置１０の前に立つユーザーの顔画像を抽出し、抽出した前記顔画像を入力画像とする前記顔認証処理である。前記第２顔認証処理は、第１カメラ８１から通信装置７を通じて得られる前記対象顔画像を入力画像とする前記顔認証処理である。
【００５４】
即ち、顔認証部４２は、前記第１顔認証処理において、画像処理装置１０のカメラ６を通じて得られる顔画像から前記顔特徴量を特定する。さらに、顔認証部４２は、特定した前記顔特徴量と登録顔特徴量Ｄ１１各々とを比較することにより、特定した前記特徴量が、１つ以上の登録顔特徴量Ｄ１１のいずれに該当するかを判定する。
【００５５】
同様に、顔認証部４２は、前記第２顔認証処理において、第１カメラ８１を通じて得られる前記対象顔画像から前記顔特徴量を特定する。さらに、顔認証部４２は、特定した前記顔特徴量と登録顔特徴量Ｄ１１各々とを比較することにより、特定した前記顔特徴量が、１つ以上の登録顔特徴量Ｄ１１のいずれに該当するかを判定する。
【００５６】
以下の説明において、前記第１顔認証処理において、前記入力認証画像から抽出される顔画像に基づいて特定される前記顔特徴量のことを入力顔特徴量と称する。また、前記第２顔認証処理において、前記対象顔画像に基づいて特定される前記顔特徴量のことを対象顔特徴量と称する。
【００５７】
さらに、顔認証部４２は、前記第１顔認証処理を実行する場合に、利用許可制御も実行する。前記利用許可制御は、前記第１顔認証処理が成功した場合に、画像処理装置１０の利用を許容し、前記第１顔認証処理が失敗した場合に画像処理装置１０の利用を禁止する処理である。
【００５８】
前記第１顔認証処理が成功した場合とは、前記第１顔認証処理によって前記入力顔特徴量が登録顔特徴量Ｄ１１のいずれかに該当すると判定された場合である。前記第１顔認証処理が失敗した場合とは、前記第１顔認証処理によって前記入力顔特徴量が登録顔特徴量Ｄ１１のいずれにも該当しないと判定された場合である。
【００５９】
また、ＣＰＵ４は、前記コンピュータープログラムを実行することにより、視線検出部４４、文書抽出部４５、登録判定部４６、照明制御部４７、データ登録部４８および保護文書判定部４９などとしても動作する。これらの詳細については後述する。
【００６０】
なお、ＤＳＰ（Digital Signal Processor）などの他のプロセッサーが、ＣＰＵ４の代わりに採用されることも考えられる。また、主制御部４１、顔認証部４２、ジョブ制御部４３、視線検出部４４、文書抽出部４５、登録判定部４６、照明制御部４７、データ登録部４８および保護文書判定部４９の一部または全部が、ＤＳＰなどのプロセッサーおよびＡＳＩＣ（Application Specific Integrated Circuit）などの集積回路の一方または両方によって実現されることも考えられる。
【００６１】
ところで、対象ユーザー９が対象文書９０を見ているときに適した照明状態は、対象文書９０に印刷されている文字のサイズによって定まるとは限らない。例えば、照明装置８０の照明色または明るさが、対象文書９０における印刷画像の色に応じて制御されることが望ましい場合がある。
【００６２】
さらに、前記照明状態が、対象文書９０における対象ユーザー９が見るページごとにその印刷内容に応じて制御されることが望ましいとは限らない。即ち、前記照明状態が、対象文書９０の全体または一部のページ範囲ごとに制御されることが望ましい場合がある。
【００６３】
画像処理装置１０は、ＣＰＵ４が後述する照明制御を実行することにより、照明装置８０の照明色などの照明状態を、対象ユーザー９が見ている対象文書９０の全体または一部の内容に適した状態に制御することが可能である。
【００６４】
照明システム１００において、前記照明制御においてＣＰＵ４によって参照される登録文書データＤ２が、二次記憶装置５ｂまたは画像処理装置１０が通信によりアクセス可能な他の記憶装置に予め記憶されている。図２は、登録文書データＤ２が二次記憶装置５ｂに記憶されている例を示す。
【００６５】
登録文書データＤ２は、１つ以上の登録文書特徴情報Ｄ２１および登録文書特徴情報Ｄ２１に対応する照明方法情報Ｄ２２を含む。なお、登録文書データＤ２は、１つ以上の登録文書の情報および前記登録文書に対応する照明方法の情報を含む登録データの一例である。
【００６６】
登録文書特徴情報Ｄ２１は、登録文書に関する情報であり、前記登録文書は、既知の文書である。例えば、登録文書特徴情報Ｄ２１は、前記登録文書における各ページに含まれる文字列もしくは画像、または前記登録文書における各ページに含まれる画像を符号化した情報などである。前記登録文書は、書籍または画像処理装置１０の前記印刷処理によって得られる印刷物などである。
【００６７】
また、照明方法情報Ｄ２２は、前記登録文書に対応する照明方法の情報である。照明方法情報Ｄ２２は、照明装置８０の照明色を指定する情報を含む。
【００６８】
一般に、文書における印刷画像の色相と下地の色相との組合せに応じて、前記印刷画像が見えやすくなる照明色が存在する。そのため、例えば実験により、前記印刷画像の色相と前記下地の色相との組合せと、前記印刷画像が最も見えやすくなる照明色との関係を表す第１照明色対応テーブルを設定することができる。
【００６９】
同様に、例えば実験により、前記印刷画像の色相と前記下地の色相との組合せと、前記印刷画像が最も見えにくくなる照明色との関係を表す第２照明色対応テーブルを設定することもできる。
【００７０】
例えば、照明方法情報Ｄ２２の前記照明色が、以下の手順で設定されることが考えられる。まず、前記登録文書のページごとの印刷画像の色相の代表値と下地の色相との組合せが導出される。以下、この組合せのことを、ページ色相セットと称する。
【００７１】
次に、前記登録文書における全ページに対応する前記ページ色相セットのうちの代表の１組が、前記第１照明色対応テーブルに適用される。これにより、前記登録文書について１つの第１照明色が、照明方法情報Ｄ２２の１つとして設定される。
【００７２】
さらに、前記登録文書における全ページに対応する前記ページ色相セットのうちの代表の１組が、前記第２照明色対応テーブルに適用される。これにより、前記登録文書について１つの第２照明色が、照明方法情報Ｄ２２の他の１つとして設定される。
【００７３】
前記第１照明色および前記第２照明色の情報は、前記登録文書ごとにそれぞれ異なる照明色を指定する第１の照明方法および第２の照明方法の情報の一例である。
【００７４】
なお、前記登録文書ごとに、複数の前記第１照明色および複数の前記第２照明色が、前記登録文書における予め定められたページ数で区分される複数のページ群に対応して設定されることも考えられる。
【００７５】
上記の場合、登録文書データＤ２において、前記登録文書における複数のページに対応する複数の登録文書特徴情報Ｄ２１、複数の前記第１照明色および複数の前記第２照明色は、前記登録文書における複数の前記ページ群に対応付けられている。
【００７６】
また、前記登録文書が書籍である場合、前記第１照明色が、前記登録文書に相当する書籍のジャンルに応じて設定されることも考えられる。例えば、前記登録文書がホラー系の書籍である場合、寒色系の色が前記第１照明色として設定されることが考えられる。同様に、前記登録文書が児童向け絵本である場合、暖色系の色が前記第１照明色として設定されることが考えられる。
【００７７】
また、登録文書データＤ２が、登録文書特徴情報Ｄ２１と前記登録ユーザーのいずれかである管理者とを対応付ける管理者識別情報Ｄ２３を含む場合がある。管理者識別情報Ｄ２３は、前記登録ユーザーのいずれかを特定する情報である。
【００７８】
前記管理者は、前記登録文書を参照可能な権限を有する前記登録ユーザーであり、例えば前記登録文書の作成者である。
【００７９】
さらに、登録文書データＤ２が、登録文書特徴情報Ｄ２１に対応する保護指定情報Ｄ２４を含む場合もある。保護指定情報Ｄ２４は、前記登録文書が、例えば機密情報またはプライベート情報を含むなどのように特別に保護されるべき文書であることを示す。
【００８０】
また、照明システム１００において、前記照明制御においてＣＰＵ４によって参照されるカメラデータＤ３が、二次記憶装置５ｂまたは画像処理装置１０が通信によりアクセス可能な他の記憶装置に予め記憶されている。図２は、カメラデータＤ３が二次記憶装置５ｂに記憶されている例を示す。
【００８１】
カメラデータＤ３は、第１カメラ８１および第２カメラ８２の位置、向きおよびカメラの視野角などのカメラ仕様の情報を含む。カメラデータＤ３は、第１カメラ８１および第２カメラ８２により撮影される画像の座標を実空間の座標へ変換するために必要な情報を含む。
【００８２】
［照明制御］
以下、図３に示されるフローチャートを参照しつつ、前記照明制御の手順の一例について説明する。
【００８３】
主制御部４１は、画像処理装置１０が起動したとき、または、前記第１顔認証処理が成功し、さらに操作装置３ａに対して予め定められた照明制御開始操作が行われたことを検出したときに、前記照明制御を開始させる。
【００８４】
以下の説明において、Ｓ１０１，Ｓ１０２，…は、前記照明制御における複数の工程の識別符号を表す。
【００８５】
＜工程Ｓ１０１＞
前記照明制御において、まず、視線検出部４４が、通信装置７を通じて、第１カメラ８１から前記対象顔画像のデータを取得する。
【００８６】
＜工程Ｓ１０２＞
さらに、視線検出部４４は、前記対象顔画像に基づいて対象ユーザー９の視線方向を検出する。視線検出部４４は、周知の視線検出処理を実行することにより、前記対象顔画像から目の画像を抽出し、抽出した前記目の画像に基づいて視線方向を検出する。
【００８７】
＜工程Ｓ１０３＞
次に、文書抽出部４５が、通信装置７を通じて、第２カメラ８２から前記周囲画像のデータを取得する。
【００８８】
＜工程Ｓ１０４＞
さらに、文書抽出部４５は、前記周囲画像から、視線検出部４４により検出される前記視線方向に存在する対象文書９０の画像を抽出する。
【００８９】
工程Ｓ１０４において、文書抽出部４５は、視線検出部４４により検出される前記視線方向を、カメラデータＤ３に基づいて第１カメラ８１を基準にした座標系での方向から実空間の座標系での方向へ変換する。さらに、文書抽出部４５は、カメラデータＤ３に基づいて前記周囲画像の座標系を、第２カメラ８２を基準にした座標系から実空間の座標系へ変換する。
【００９０】
そして、文書抽出部４５は、前記実空間の座標系において、前記周囲画像から前記視線方向に存在する対象文書９０の画像を抽出する。例えば、文書抽出部４５は、前記周囲画像における前記視線方向に存在する矩形状の輪郭を有する画像を対象文書９０の画像として認識する。
【００９１】
＜工程Ｓ１０５＞
次に、登録判定部４６が、登録判定処理を実行する。前記登録判定処理は、二次記憶装置５ｂに予め記憶されている１つ以上の登録文書データＤ２の登録文書特徴情報Ｄ２１を参照し、対象文書９０の画像が前記登録文書のいずれかに該当するか否かを判定する処理である。
【００９２】
工程Ｓ１０５において、登録判定部４６は、対象文書９０の画像または対象文書９０の画像から文字認識処理によって抽出される文字列が、登録文書データＤ２の登録文書特徴情報Ｄ２１を含むか否かを判定する。
【００９３】
即ち、登録判定部４６は、対象文書９０の画像が登録文書特徴情報Ｄ２１を含む場合に、対象文書９０が前記登録文書であると判定し、そうでない場合に、対象文書９０が非登録文書であると判定する。
【００９４】
前述したように、登録文書データＤ２において、複数のページに対応する複数の登録文書特徴情報Ｄ２１、複数の前記第１照明色および複数の前記第２照明色が、前記登録文書における複数の前記ページ群に対応付けられている場合がある。
【００９５】
上記の場合、前記登録判定処理は、対象文書９０の画像が前記登録文書における複数の前記ページ群のいずれに該当するかについて判定することも含む。
【００９６】
そして、登録判定部４６は、対象文書９０が前記登録文書であると判定する場合に、処理を工程Ｓ１０６へ移行させ、そうでない場合に、処理を工程Ｓ１０１へ移行させる。これにより、対象文書９０が前記登録文書ではないと判定される場合、画像処理装置１０は工程Ｓ１０６〜Ｓ１０９の処理を実行しない。
【００９７】
＜工程Ｓ１０６＞
工程Ｓ１０６において、登録判定部４６は、対象文書９０が登録文書データＤ２において保護指定情報Ｄ２４が設定された前記登録文書である場合に、処理を工程Ｓ１０７へ移行させ、そうでない場合に、処理を工程Ｓ１０８へ移行させる。
【００９８】
＜工程Ｓ１０７＞
工程Ｓ１０７において、顔認証部４２が、工程Ｓ１０１で取得された前記対象顔画像に基づく前記第２顔認証処理を実行する。これにより、対象ユーザー９が前記登録ユーザーのいずれに該当するかが判定される。
【００９９】
そして、顔認証部４２は、前記第２顔認証処理により、対象ユーザー９が対象文書９０に相当する前記登録文書の情報に対応付けられた前記管理者に該当すると判定される場合に、処理を工程Ｓ１０８へ移行させ、そうでない場合に処理を工程Ｓ１０９へ移行させる。
【０１００】
前述したように、登録文書データＤ２において、前記登録文書の情報である登録文書特徴情報Ｄ２１は、管理者識別情報Ｄ２３によって前記登録ユーザーのいずれかに対応付けられている場合がある。顔認証部４２は、管理者識別情報Ｄ２３に基づいて、対象ユーザー９が前記管理者に該当するか否かを判定する。
【０１０１】
＜工程Ｓ１０８＞
工程Ｓ１０８において、照明制御部４７が、第１登録照明制御を実行する。前記第１登録照明制御は、照明装置８０の照明状態を、対象文書９０に対応する前記登録文書に対応付けられた前記第１照明色の情報に従って制御することである。
【０１０２】
前記第１登録照明制御が実行されることにより、照明装置８０の照明色が、対象ユーザー９にとって対象文書９０の印刷画像を見やすい色に制御される。その後、照明制御部４７は、処理を工程Ｓ１０１へ移行させる。
【０１０３】
＜工程Ｓ１０９＞
一方、工程Ｓ１０９において、照明制御部４７は、第２登録照明制御を実行する。前記第２登録照明制御は、照明装置８０の照明状態を、対象文書９０に対応する前記登録文書に対応付けられた前記第２照明色の情報に従って制御することである。
【０１０４】
前記第２登録照明制御が実行されることにより、照明装置８０の照明色が、対象ユーザー９にとって対象文書９０の印刷画像を見にくい色に制御される。その後、照明制御部４７は、処理を工程Ｓ１０１へ移行させる。
【０１０５】
以上に示されるように、照明制御部４７は、照明装置８０の照明色を制御可能である。なお、前記第１照明色の情報および前記第２照明色の情報は、登録文書データＤ２における照明方法情報Ｄ２２の一例である。
【０１０６】
また、照明制御部４７は、登録判定部４６によって対象文書９０が前記登録文書に該当すると判定される場合に、照明装置８０の照明状態を、対象文書９０に対応する前記登録文書に対応付けられた照明方法情報Ｄ２２に従って制御する（Ｓ１０６〜Ｓ１０９）。
【０１０７】
工程Ｓ１０８の処理が実行されることにより、照明装置８０の照明状態が、対象ユーザー９が見ている対象文書９０の全体または一部の内容に適した状態に制御される。
【０１０８】
また、対象文書９０が、保護指定情報Ｄ２４により保護対象に指定された前記登録文書に該当すると判定される場合、照明制御部４７は、対象ユーザー９が前記管理者に該当すると判定されるか否かに応じて照明装置８０を異なる状態に制御する。
【０１０９】
即ち、照明制御部４７は、登録判定部４６によって対象文書９０が前記登録文書に該当すると判定され、かつ、前記第２顔認証処理によって対象ユーザー９が前記対象文書に相当する前記登録文書の情報に対応付けられた前記管理者に該当すると判定される場合に、前記第１照明色の情報に従って前記第１登録照明制御を実行する（Ｓ１０５，Ｓ１０７，Ｓ１０８）。
【０１１０】
従って、対象ユーザー９が前記管理者である場合、工程Ｓ１０８の処理が実行されることにより、照明装置８０の照明状態が、対象文書９０を見やすい状態に制御される。
【０１１１】
一方、照明制御部４７は、登録判定部４６によって対象文書９０が前記登録文書に該当すると判定され、かつ、前記第２顔認証処理によって対象ユーザー９が前記対象文書に相当する前記登録文書の情報に対応付けられた前記管理者に該当しないと判定される場合に、前記第２照明色の情報に従って前記第２登録照明制御を実行する（Ｓ１０５，Ｓ１０７，Ｓ１０９）。
【０１１２】
従って、対象ユーザー９が前記管理者ではない場合、工程Ｓ１０９の処理が実行されることにより、照明装置８０の照明状態が、対象文書９０を見にくい状態に制御される。これにより、照明装置８０の照明状態が、対象文書９０の内容が前記管理者以外の対象ユーザー９に漏洩することを阻害する。
【０１１３】
照明システム１００が図書館などに設置される場合、貸し出し対象の複数の書籍に関するデータが、登録文書データＤ２として二次記憶装置５ｂに登録されることが考えられる。例えば、画像処理装置１０は、操作装置３ａに対するデータ入力操作に従って登録文書データＤ２を二次記憶装置５ｂに記憶させる。
【０１１４】
また、画像処理装置１０が、複数の書籍に関するデータを記憶するサーバー装置と通信可能に接続され、前記サーバー装置から登録文書データＤ２の各情報を取得することも考えられる。
【０１１５】
また、前記登録文書が、画像処理装置１０によって処理される画像データに基づく文書であることも考えられる。この場合、画像処理装置１０は、前記読取処理および前記読取画像出力処理の実行に続いて、登録文書データＤ２を二次記憶装置５ｂに記憶させる登録文書データ記録処理を実行可能である。
【０１１６】
以下の説明において、前記登録文書データ記録処理の対象となる画像データのことを登録対象画像データと称する。前記登録対象画像データは、前記登録文書を表すデータに相当する。
【０１１７】
また、画像処理装置１０は、他装置から通信装置７によって受信される画像データに基づく前記印刷処理の実行に続いて、前記登録文書データ記録処理を実行することも可能である。この場合、通信装置７によって受信される画像データが、前記登録対象画像データとして処理される。
【０１１８】
画像読取装置１は、原稿９１から画像を読み取ることによって前記読取画像を表す前記登録対象画像データを取得する画像取得装置の一例である。また、通信装置７は、他装置から前記登録対象画像データを受信する前記画像取得装置の一例である。
【０１１９】
また、前記読取画像出力処理が、前記画像データ送信処理である場合、通信装置７が前記登録対象画像データを他装置へ送信する。この場合、通信装置７は、前記登録対象画像データまたは前記登録対象画像データが表す画像を出力する画像出力装置の一例である。
【０１２０】
また、前記読取画像出力処理が、前記登録対象画像データが表す画像を印刷する前記印刷処理である場合、画像形成装置２が前記画像出力装置の一例である。また、画像形成装置２が、通信装置７によって他装置から受信される前記登録対象画像データに基づく前記印刷処理を実行する場合も、画像形成装置２が前記画像出力装置の一例である。
【０１２１】
前記登録文書データ記録処理が開始される時点において、前記読取処理により得られる前記読取画像のデータ、他装置から受信された画像データ、前記印刷処理に用いられた画像データ、または他装置へ出力された画像データが、前記登録対象画像データとしてＲＡＭ５ａまたは二次記憶装置５ｂに記憶されている。
【０１２２】
［登録文書データ記録処理］
以下、図４に示されるフローチャートを参照しつつ、前記登録文書データ記録処理の手順の一例について説明する。
【０１２３】
以下の説明において、Ｓ２０１，Ｓ２０２，…は、前記登録文書データ記録処理における複数の工程の識別符号を表す。
【０１２４】
以下の説明において、前記登録対象画像データが表す画像のことを登録対象画像と称する。前記登録対象画像は、１ページ分のページ画像または複数のページ画像を表す。前記登録文書データ記録処理により、前記登録対象画像の印刷物が前記登録文書として登録される。
【０１２５】
＜工程Ｓ２０１＞
前記登録文書データ記録処理において、データ登録部４８は、前記登録対象画像の前記ページ画像各々の特徴情報を特定する。データ登録部４８は、特定した前記特徴情報を登録文書特徴情報Ｄ２１として設定する。
【０１２６】
前記特徴情報は、前記登録対象画像の前記ページ画像各々に含まれる文字列もしくは画像、または前記ページ画像各々に含まれる画像を符号化した情報などである。
【０１２７】
＜工程Ｓ２０２＞
さらに、データ登録部４８は、前記登録対象画像の前記ページ画像ごとの印刷画像の色相の代表値と下地の色相とを特定する。
【０１２８】
工程Ｓ２０２において特定される前記印刷画像の色相の代表値と前記下地の色相との組合せが前記ページ色相セットである。前記印刷画像の色相の代表値は、例えば、前記ページ画像における複数の画素の色相の平均値、中央値またはモード値などである。
【０１２９】
＜工程Ｓ２０３＞
そして、データ登録部４８は、前記登録対象画像から特定された前記印刷画像の色相および前記下地の色相に基づいて、照明装置８０の照明色を指定する情報を特定する。
【０１３０】
本実施形態において、照明装置８０の照明色を指定する情報は、前記第１照明色および前記第２照明色の情報である。前記第１照明色および前記第２照明色の情報は、照明方法情報Ｄ２２の一例である。
【０１３１】
例えば、データ登録部４８は、前記登録対象画像における全ページに対応する前記ページ色相セットのうちの代表の１組を、前記第１照明色対応テーブルに適用することにより、前記第１指定照明色を特定する。
【０１３２】
上記の場合、データ登録部４８は、前記登録対象画像における全ページに対応する前記ページ色相セットのうちの代表の１組を、前記第２照明色対応テーブルに適用することにより、前記第２指定照明色を特定する。
【０１３３】
また、データ登録部４８が、複数の前記第１照明色および複数の前記第２照明色を、前記登録対象画像におけるにおける予め定められたページ数で区分される複数のページ群に対応して特定することも考えられる。
【０１３４】
＜工程Ｓ２０４＞
次に、保護文書判定部４９が、前記登録対象画像の印刷物が、保護指定情報Ｄ２４を設定されるべき保護文書であるか否かを判定する。
【０１３５】
例えば、保護文書判定部４９は、前記登録対象画像に予め定められた保護条件を満たす保護画像が含まれるか否かを判定することにより、前記登録対象画像の印刷物が前記保護文書であるか否かを判定する。
【０１３６】
例えば、前記保護画像が、予め定められた１つ以上の登録文字列のいずれかを表す文字列画像である第１保護画像、および、予め定められた１つ以上の登録マークのいずれかと同じ画像である第２保護画像、の一方または両方を含む。
【０１３７】
保護文書判定部４９は、前記登録対象画像に対する周知の文字認識処理を実行することにより、前記登録対象画像から文字列を抽出し、抽出した文字列に前記登録文字が含まれるか否かを判定する。保護文書判定部４９は、前記登録対象画像から抽出した文字列に前記登録文字が含まれる場合に、前記登録対象画像の印刷物が前記保護文書であると判定する。
【０１３８】
例えば、前記登録文字が、「社外秘」または「部外秘」などのように前記登録対象画像の内容が機密情報であることを示す文字列であることが考えられる。また、前記登録文字が、社外秘の組織名、電話番号または製品名などであることも考えられる。
【０１３９】
また、前記登録マークが、前記登録対象画像の内容が機密情報であることを示す特定の機密マーク、特定の社章、特定の商標、または電話番号が記されていることを示す電話マークなどであることが考えられる。
【０１４０】
保護文書判定部４９は、前記登録対象画像の一部の画像を順次抽出し、抽出した画像と前記登録マークとのパターンマッチングを行い、両者の近似度が予め定められた基準近似度を超える場合に、前記登録対象画像の印刷物が前記保護文書であると判定する。
【０１４１】
保護文書判定部４９は、前記登録対象画像の印刷物が前記保護文書であると判定した場合、処理を工程Ｓ２０５へ移行させ、そうでない場合に処理を工程Ｓ２０６へ移行させる。
【０１４２】
＜工程Ｓ２０５＞
工程Ｓ２０５において、保護文書判定部４９は、前記登録対象画像に対応する登録文書データＤ２に保護指定情報Ｄ２４を設定する。その後、保護文書判定部４９は、処理を工程Ｓ２０６へ移行させる。
【０１４３】
＜工程Ｓ２０６＞
工程Ｓ２０６において、データ登録部４８は、前記登録対象画像に対応する登録文書データＤ２にその他の情報を設定する。その後、データ登録部４８は、処理を工程Ｓ２０７へ移行させる。
【０１４４】
具体的には、データ登録部４８は、前記登録対象画像に対応する登録文書データＤ２に、工程Ｓ２０１で特定された前記特徴情報を登録文書特徴情報Ｄ２１として設定する。さらに、データ登録部４８は、工程Ｓ２０３で特定された前記第１照明色および前記第２照明色の情報を照明方法情報Ｄ２２として設定する。
【０１４５】
＜工程Ｓ２０７＞
最後に、データ登録部４８は、工程Ｓ２０５および工程Ｓ２０６の処理、または、工程Ｓ２０６の処理により確定した登録文書データＤ２を、二次記憶装置５ｂに記憶させる。その後、データ登録部４８は、前記登録文書データ記録処理を終了させる。
【０１４６】
以上に示されるように、データ登録部４８は、前記登録対象画像に基づく登録文書特徴情報Ｄ２１と、前記登録対象画像の色に対応する前記第１照明色および前記第２照明色の情報とを含む登録文書データＤ２を二次記憶装置５ｂに記憶させる。登録文書特徴情報Ｄ２１は、前記登録文書の情報の一例である。
【０１４７】
［第２実施形態］
次に、図５を参照しつつ、第２実施形態に係る画像処理装置における前記登録文書データ記録処理の手順の一例について説明する。
【０１４８】
本実施形態の前記登録文書データ記録処理は、図３に示される前記登録文書データ記録処理から一部の工程が除かれた処理である。以下、本実施形態の前記登録文書データ記録処理における、図３に示される前記登録文書データ記録処理と異なる点について説明する。
【０１４９】
以下の説明において、Ｓ３０１，Ｓ３０２，…は、本実施形態の前記登録文書データ記録処理における複数の工程の識別符号を表す。
【０１５０】
＜工程Ｓ３０１〜Ｓ３０５＞
本実施形態において、視線検出部４４、文書抽出部４５および登録判定部４６が、図３に示される工程Ｓ１０１〜Ｓ１０５と同じ処理を実行する。
【０１５１】
そして、登録判定部４６は、工程Ｓ３０５において、対象文書９０が前記登録文書であると判定する場合に、処理を工程Ｓ３０６へ移行させ、そうでない場合に、処理を工程Ｓ３０１へ移行させる。これにより、対象文書９０が前記登録文書ではないと判定される場合、画像処理装置１０は工程Ｓ３０６〜Ｓ３０８の処理を実行しない。
【０１５２】
＜工程Ｓ３０６＞
工程Ｓ３０６において、顔認証部４２が、工程Ｓ３０１で取得された前記対象顔画像に基づく前記第２顔認証処理を実行する。これにより、対象ユーザー９が前記登録ユーザーのいずれに該当するかが判定される。
【０１５３】
そして、顔認証部４２は、前記第２顔認証処理により、対象ユーザー９が前記登録ユーザーのいずれかに該当すると判定される場合に、処理を工程Ｓ３０７へ移行させ、そうでない場合に処理を工程Ｓ３０８へ移行させる。
【０１５４】
＜工程Ｓ３０７＞
工程Ｓ３０７において、照明制御部４７が、図３の工程Ｓ１０８と同様に、前記第１登録照明制御を実行する。前記第１登録照明制御が実行されることにより、照明装置８０の照明色が、対象ユーザー９にとって対象文書９０の印刷画像を見やすい色に制御される。その後、照明制御部４７は、処理を工程Ｓ３０１へ移行させる。
【０１５５】
＜工程Ｓ３０８＞
一方、工程Ｓ３０８において、照明制御部４７は、図３の工程Ｓ１０９と同様に、第２登録照明制御を実行する。前記第２登録照明制御が実行されることにより、照明装置８０の照明色が、対象ユーザー９にとって対象文書９０の印刷画像を見にくい色に制御される。その後、照明制御部４７は、処理を工程Ｓ３０１へ移行させる。
【０１５６】
以上に示されるように、照明制御部４７は、登録判定部４６によって対象文書９０が前記登録文書に該当すると判定され、かつ、前記第２顔認証処理によって対象ユーザー９が前記登録ユーザーに該当すると判定される場合に、前記第１照明色の情報に従って前記第１登録照明制御を実行する（Ｓ３０５，Ｓ３０６，Ｓ３０７）。
【０１５７】
従って、対象ユーザー９が前記登録ユーザーである場合、照明装置８０の照明状態が、対象文書９０を見やすい状態に制御される。
【０１５８】
一方、照明制御部４７は、登録判定部４６によって対象文書９０が前記登録文書に該当すると判定され、かつ、前記第２顔認証処理によって対象ユーザー９が前記登録ユーザーに該当しないと判定される場合に、前記第２照明色の情報に従って前記第２登録照明制御を実行する（Ｓ３０５，Ｓ３０６，Ｓ３０８）。
【０１５９】
従って、対象ユーザー９が前記登録ユーザーではない場合、照明装置８０の照明状態が、対象文書９０を見にくい状態に制御される。これにより、照明装置８０の照明状態が、対象文書９０の内容が前記管理者以外の対象ユーザー９に漏洩することを阻害する。
【０１６０】
本実施形態が採用される場合も、第１実施形態と同様の効果が得られる。なお、本実施形態において、登録文書データＤ２が管理者識別情報Ｄ２３を含んでいる必要はない。
【０１６１】
＜第１応用例＞
画像処理装置１０の応用例として、ＣＰＵ４が、図３に示される処理から工程Ｓ１０６の処理が省略された前記照明制御を実行することが考えられる。
【０１６２】
＜第２応用例＞
画像処理装置１０の応用例として、ＣＰＵ４が、図３に示される処理から工程Ｓ１０９の処理が省略され、さらに、工程Ｓ１０７の処理が異なる前記照明制御を実行することが考えられる。
【０１６３】
具体的には、工程Ｓ１０７において、顔認証部４２が、対象ユーザー９が対象文書９０に相当する前記登録文書の情報に対応付けられた前記管理者に該当しないと判定される場合に、処理を不図示の警報照明工程へ移行させる。
【０１６４】
前記警報照明制御工程において、照明制御部４７は、照明装置８０の照明状態を対象文書９０に対応する照明方法情報Ｄ２２とは異なる予め定められた警報状態へ変更する。例えば、前記警報状態が、照明装置８０の点滅状態であることが考えられる。
【０１６５】
即ち、本応用例において、照明制御部４７は、登録判定部４６によって対象文書９０が前記登録文書に該当すると判定され、かつ、前記第２顔認証処理によって前記対象ユーザーが前記対象文書に相当する前記登録文書の情報に対応付けられた前記管理者に該当すると判定される場合に、前記第１登録照明制御を実行する。
【０１６６】
また、本応用例において、照明制御部４７は、登録判定部４６によって対象文書９０が前記登録文書に該当すると判定され、かつ、前記第２顔認証処理によって前記対象ユーザーが前記対象文書に相当する前記登録文書の情報に対応付けられた前記管理者に該当しないと判定される場合に、照明装置８０の照明状態を前記警報状態へ変更する。
【０１６７】
本応用例によれば、対象文書９０を見る権限のない対象ユーザー９が対象文書９０を見ていることが、照明装置８０によって周囲へ通知される。
【０１６８】
＜第３応用例＞
以上に示される各実施形態および各応用例では、第１カメラ８１および第２カメラ８２の組合せと対象ユーザー９とが１対１で対応している。
【０１６９】
しかしながら、対象ユーザー９が移動することが考えられる。そのため、第３の応用例として、照明システム１００が、複数の第１カメラ８１および複数の第１カメラ８１に対応する複数の第２カメラ８２を含むことが考えられる。
【０１７０】
本応用例において、顔認証部４２は、複数の第１カメラ８１から得られる複数の前記対象顔画像それぞれについて前記第２顔認証処理を実行する。そして、顔認証部４２は、ある第１カメラ８１の画像に基づいて認識した前記登録ユーザーと同じユーザーを、他の第１カメラ８１の画像に基づいて認識した場合に、前記照明制御に用いる第１カメラ８１および第２カメラ８２の組合せを変更する。
【０１７１】
なお、画像処理装置１０における顔認証部４２、視線検出部４４、文書抽出部４５、登録判定部４６および照明制御部４７が、画像読取装置１および画像形成装置２を備えていないコンピューターによって実現されてもよい。この場合、前記コンピューターが照明制御装置である。
【符号の説明】
【０１７２】
１        ：画像読取装置
２        ：画像形成装置
３        ：ユーザーインターフェイスユニット
３ａ      ：操作装置
３ｂ      ：表示装置
４        ：ＣＰＵ
５ａ      ：ＲＡＭ
５ｂ      ：二次記憶装置
６        ：カメラ
７        ：通信装置
９        ：対象ユーザー
１０      ：画像処理装置
４１      ：主制御部
４２      ：顔認証部
４３      ：ジョブ制御部
４４      ：視線検出部
４５      ：文書抽出部
４６      ：登録判定部
４７      ：照明制御部
４８      ：データ登録部
４９      ：保護文書判定部
８０      ：照明装置
８０ａ    ：照明本体装置
８０ｂ    ：照明駆動装置
８１      ：第１カメラ
８１ａ    ：画像処理プロセッサー
８２      ：第２カメラ
８３      ：第１通信装置
８４      ：第２通信装置
９０      ：対象文書
９１      ：原稿
９２      ：シート
１００    ：照明システム
Ｄ１      ：登録認証データ
Ｄ１１    ：登録顔特徴量
Ｄ１２    ：ユーザー識別コード
Ｄ２      ：登録文書データ
Ｄ２１    ：登録文書特徴情報
Ｄ２２    ：照明方法情報
Ｄ２３    ：管理者識別情報
Ｄ２４    ：保護指定情報
Ｄ３      ：カメラデータ
【図１】
2019133817.tif 000003
【図２】
2019133817.tif 000004
【図３】
2019133817.tif 000005
【図４】
2019133817.tif 000006
【図５】
2019133817.tif 000007